(57)【特許請求の範囲】
【請求項１】
通信装置等のバックワイヤボードに取り付き、前記バックワイヤボードの外面に立設されたコネクタピン群に、外線ケーブルのコネクタを接続させるコネクタハウジングであって、
コネクタ接続対象の前記コネクタピン群を囲繞し被覆するように設けられ、前記コネクタピン群の中で、前記コネクタが接続されるコネクタピンが挿通するピン挿通穴が底部に設けられたコネクタ挿入口が正面側に開口する正面視矩形状のハウジング本体と、
前記ハウジング本体の上下の両端部に設けられ、前記バックワイヤボード側に設けられた係止穴に係止して、前記ハウジング本体を前記バックワイヤボードに固定する弾性係止手段とを有し、
前記弾性係止手段による前記ハウジング本体の前記バックワイヤボードへの固定時には、
前記コネクタの接続に必要な前記コネクタピンは、前記ピン挿通穴を挿通して前記コネクタ挿入口内に突出し、
前記コネクタの接続に不要な前記コネクタピンは、前記ピン挿通穴を挿通せずに前記ハウジング本体で被覆される
ことを特徴とするコネクタハウジング。
【請求項２】
通信装置等のバックワイヤボードに取り付き、バックワイヤボードの外面に立設されたコネクタピン群に、外線ケーブルのコネクタを接続させるコネクタハウジングであって、
コネクタ接続対象のコネクタピン群を囲繞し被覆するように設けられた正面視矩形状のハウジング本体と、
前記ハウジング本体と別体に設けられ、ハウジング本体の長手方向に沿ってハウジング本体の正面側に当接するロックカバーとを有し、
前記ハウジング本体は、コネクタピン群の中で、外線ケーブルのコネクタ接続に必要なコネクタピンのみのピン挿通穴が底部に設けられたコネクタ挿入口が正面側に設けられ、
前記ロックカバーは、バックワイヤボード側に設けられた係止穴に係止してハウジング本体をバックワイヤボードに固定する弾性係止手段が上下の両端部に設けられていることを特徴とするコネクタハウジング。
【請求項３】
通信装置等のバックワイヤボードに取り付き、バックワイヤボードの外面に立設されたコネクタピン群に、外線ケーブルのコネクタを接続させるコネクタハウジングを、
コネクタ接続対象のコネクタピン群を囲繞するように設けられ、底部にピン挿通穴が設けられたコネクタ挿入口が正面側に設けられた正面視矩形状のハウジング本体と、
ハウジング本体の長手方向に沿ってハウジング本体の正面側に当接し、バックワイヤボード側に設けられた係止穴に係止する弾性係止手段が上下の両端部に設けられたロックカバーとで構成し、
前記コネクタハウジングを運用中の通信装置等のバックワイヤボードに取り付けるに当たり、
コネクタ接続対象のコネクタピン群に対向させてハウジング本体を配置可能で、当該ハウジング本体をコネクタピン群方向へガイド可能な台座を設けたガイド部材をバックワイヤボードの外面側に設置して、前記台座上にハウジング本体を配置し、
ハウジング本体を台座に沿ってコネクタピン群方向へスライドさせ、ピン挿通穴にコネクタピンを挿通させてハウジング本体をバックワイヤボードに仮止めした後、
ガイド部材を取り外し、ハウジング本体の長手方向に沿ってハウジング本体の正面側にロックカバーを当接させ乍ら、上下の両端部の弾性係止手段を係止穴に係止してハウジング本体をロックカバーでバックワイヤボードに固定し、ハウジング本体のコネクタ取付口に外線ケーブルのコネクタを挿入してコネクタピン群に接続することを特徴とするバックワイヤボードへのコネクタの接続方法。
【請求項４】
前記ハウジング本体を、コネクタ接続対象のコネクタピン群を囲繞し被覆するように設けられ、コネクタピン群の中で、外線ケーブルのコネクタ接続に必要なコネクタピンのみのピン挿通穴が底部に設けられたコネクタ挿入口が正面側に設けられた正面視矩形状に製作し、
ハウジング本体を前記台座に沿ってコネクタピン群方向へスライドさせ、ピン挿通穴にコネクタピンを挿通させて、接続に不要なコネクタピン群の他のコネクタピンをハウジング本体で被覆することを特徴とする請求項３に記載のバックワイヤボードへのコネクタの接続方法。
【発明の詳細な説明】
【技術分野】
【０００１】
本発明は、通信装置等のバックワイヤボードに外線ケーブルのコネクタを接続する際に使用するコネクタハウジングと、このコネクタハウジングを用いたバックワイヤボードへのコネクタの接続方法に関する。
【背景技術】
【０００２】
従来、通信装置は、ユニット枠とバックワイヤボードで形成した収納ケースの中に多数の電子回路パッケージが収納されており、電子回路パッケージとバックワイヤボードの接続は、電子回路パッケージの挿入側先端（バックワイヤボード側）に装着したコネクタと、バックワイヤボード側に装着したコネクタとの接続で行われている。
【０００３】
そして、特許文献１または図１６に示すようにバックワイヤボード１の外面（背面側）には、バックワイヤボード１に装着した各コネクタに対応して複数のコネクタピン群３が立設されており、各コネクタピン群３に外線ケーブル５のコネクタ７がコネクタハウジング９を介して着脱自在に接続できるようになっている。
【０００４】
コネクタハウジング９は、コネクタ７の接続を行うとともにコネクタ７の固定や誤接続防止の機能を果たすもので、図１７に示すようにコネクタ接続対象のコネクタピン群３を囲繞するように正面視矩形状に形成されたボックス状のハウジング本体１１と、ハウジング本体１１の上下両端部１３、１５に突設された弾性係止爪（係止手段）１７とからなり、ハウジング本体１１の底部１９には、コネクタピン群３の総てのコネクタピン３ａに対応して多数のピン挿通穴２１が設けられている。そして、各ピン挿通穴２１にコネクタピン３ａを挿着させ乍ら、図１６または図１８に示すように上下の弾性係止爪１７を各コネクタピン群３の上下に設けたロック用金具２２の係止穴２３に係止して、コネクタハウジング９がバックワイヤボード１に取り付けられている。
【０００５】
また、特許文献２には、図１９に示すようにハウジング本体１１-1を、上下に弾性係止爪１７が突設された正面視矩形状の枠体に形成するとともに、ハウジング本体１１に一体形成された前記底部１９に代え、これを上下に設けた弾性舌片２４を介してハウジング本体１１-1の背面に取付可能な別体の背面プレート２５として、当該背面プレート２５に多数のピン挿通穴２１を形成したコネクタハウジング２７が提案されている。
【０００６】
そして、前記コネクタハウジング９、２７は、夫々、予め工場出荷段階でバックワイヤボード１に取り付けられている。
【先行技術文献】
【特許文献】
【０００７】
【特許文献１】特開２００１−３３２３５３号公報
【特許文献２】特開２０００−３５７５６２号公報
【発明の概要】
【発明が解決しようとする課題】
【０００８】
ところで、既に運用中の通信装置に対して、仕様変更や機能追加で電子回路パッケージの交換作業やケーブル追加を行う場合、通信装置背面のバックワイヤボードへの配線が必要になることがある。この場合、バックワイヤボードに前記コネクタハウジング９、２７を取り付ける必要があるが、長期安定稼働が要求されて電源を落とすことができない装置の場合、電源を投入したままバックワイヤボードにコネクタハウジングを取り付ける必要がある。
【０００９】
しかし、前記コネクタハウジング９、２７は、予め工場出荷段階でバックワイヤボード１に取り付けるように製作されたもので、底部１９や背面プレート２５には、コネクタピン群３の総てのコネクタピン３ａに対応して多数のピン挿通穴２１が設けられている。
【００１０】
このため、電源を投入したまま、装置が設置された局内等でバックワイヤボードにこれらを手作業で後付けする場合、ピン挿通穴２１の総てにコネクタピン３ａを通さなければならず、また、手作業で行うため、ピン曲がりや指先でのショート等により運用中の装置に障害が発生し、顧客に重大な影響が出てしまう虞があった。
【００１１】
本発明は斯かる実情に鑑み案出されたもので、通信装置等の電源を投入したままバックワイヤボードにコネクタハウジングを取り付けるに当たり、取付作業に優れ、ピン曲がりや指先でのショートによる装置障害のリスクを解消したコネクタハウジングと、このコネクタハウジングを用いたバックワイヤボードへのコネクタの接続方法を提供することを目的とする。
【課題を解決するための手段】
【００１２】
一つの観点によれば、本件開示の発明は、通信装置等のバックワイヤボードに取り付き、バックワイヤボードの外面に立設されたコネクタピン群に、外線ケーブルのコネクタを接続させるコネクタハウジングであって、コネクタ接続対象のコネクタピン群を囲繞し被覆するように設けられ、コネクタピン群の中で、コネクタが接続されるコネクタピンが挿通するピン挿通穴が底部に設けられたコネクタ挿入口が正面側に開口する正面視矩形状のハウジング本体と、ハウジング本体の上下の両端部に設けられ、バックワイヤボード側に設けられた係止穴に係止して、ハウジング本体をバックワイヤボードに固定する弾性係止手段とを有し、弾性係止手段によるハウジング本体のバックワイヤボードへの固定時には、コネクタの接続に必要なコネクタピンは、ピン挿通穴を挿通してコネクタ挿入口内に突出し、コネクタの接続に不要なコネクタピンは、ピン挿通穴を挿通せずにハウジング本体で被覆されることを特徴とする。
【００１３】
別の観点によれば、本件開示の発明は、通信装置等のバックワイヤボードに取り付き、バックワイヤボードの外面に立設されたコネクタピン群に、外線ケーブルのコネクタを接続させるコネクタハウジングであって、コネクタ接続対象のコネクタピン群を囲繞し被覆するように設けられた正面視矩形状のハウジング本体と、ハウジング本体と別体に設けられ、ハウジング本体の長手方向に沿ってハウジング本体の正面側に当接するロックカバーとを有し、ハウジング本体は、コネクタピン群の中で、外線ケーブルのコネクタ接続に必要なコネクタピンのみのピン挿通穴が底部に設けられたコネクタ挿入口が正面側に設けられ、ロックカバーは、バックワイヤボード側に設けられた係止穴に係止してハウジング本体をバックワイヤボードに固定する弾性係止手段が上下の両端部に設けられていることを特徴とする。
【００１４】
更に別の観点によれば、本件開示のバックワイヤボードへのコネクタの接続方法は、通信装置等のバックワイヤボードに取り付き、バックワイヤボードの外面に立設されたコネクタピン群に、外線ケーブルのコネクタを接続させるコネクタハウジングを、コネクタ接続対象のコネクタピン群を囲繞するように設けられ、底部にピン挿通穴が設けられたコネクタ挿入口が正面側に設けられた正面視矩形状のハウジング本体と、ハウジング本体の長手方向に沿ってハウジング本体の正面側に当接し、バックワイヤボード側に設けられた係止穴に係止する弾性係止手段が上下の両端部に設けられたロックカバーとで構成し、コネクタハウジングを運用中の通信装置等のバックワイヤボードに取り付けるに当たり、コネクタ接続対象のコネクタピン群に対向させてハウジング本体を配置可能で、当該ハウジング本体をコネクタピン群方向へガイド可能な台座を設けたガイド部材をバックワイヤボードの外面側に設置して、台座上にハウジング本体を配置し、ハウジング本体を台座に沿ってコネクタピン群方向へスライドさせ、ピン挿通穴にコネクタピンを挿通させてハウジング本体をバックワイヤボードに仮止めした後、ガイド部材を取り外し、ハウジング本体の長手方向に沿ってハウジング本体の正面側にロックカバーを当接させ乍ら、上下の両端部の弾性係止手段を係止穴に係止してハウジング本体をロックカバーでバックワイヤボードに固定し、ハウジング本体のコネクタ取付口に外線ケーブルのコネクタを挿入してコネクタピン群に接続することを特徴とする。
【発明の効果】
【００１６】
本件開示のコネクタハウジングによれば、コネクタハウジングをバックワイヤボードに取り付けるに当たり、コネクタ接続に必要なコネクタピンのみをコネクタ挿入口内のピン挿通穴に通すだけでよいため、従来に比し取付作業に優れ、ピン曲がりによる装置障害のリスクが解消することとなった。また、コネクタ接続に不要なコネクタピンがハウジング本体で被覆されるようにしたため、指先でのショートによる装置障害のリスクも大幅に解消することとなった。
【００１８】
また、ハウジング本体とロックカバーを別体に構成した本件開示のコネクタハウジングによれば、ハウジング本体をバックワイヤボードに仮止めした後、ロックカバーの弾性係止手段を係止穴に係止して、ハウジング本体をバックワイヤボードに固定するように構成したため、ピン挿通穴へのコネクタピンの挿通と、係止穴への弾性係止手段の係止の作業を分けて行うことができる。
【００２０】
そして、ロックカバーの取付時には、コネクタ接続に不要なコネクタピンがハウジング本体で被覆されているため、指先でのショートによる装置障害のリスクも大幅に解消する。
【００２１】
更に、ガイド部材を用いた本件開示のバックワイヤボードへのコネクタの接続方法によれば、ピン挿通穴へのコネクタピンの挿通に当たり、ピンずれの虞がなくなるため、取付作業性及び安全性が飛躍的に向上するとともに、ピン曲がりによる装置障害のリスクを確実に解消できる利点を有する。
【図面の簡単な説明】
【００２３】
【図１】本件開示の一実施形態に係るコネクタハウジングの正面側の斜め上方からの斜視図である。
【図２】図１に示すコネクタハウジングの底部側の斜め下方からの斜視図である。
【図３】コネクタハウジングを介してバックワイヤボードに取り付くコネクタの斜め上方からの斜視図である。
【図４】バックワイヤボードに取り付くコネクタハウジングの機能を説明する説明図である。
【図５】外線ケーブルのコネクタの斜め下方からの斜視図である。
【図６】バックワイヤボードへのコネクタハウジングの接続方法の説明図である。
【図７】本件開示の他の実施形態に係るコネクタハウジングの正面側の斜め上方からの斜視図である。
【図８】図７に示すコネクタハウジングの底部側の斜め下方からの斜視図である。
【図９】ロックカバーの正面側の斜め上方からの斜視図である。
【図１０】ロックカバーの正面側の斜め上方からの斜視図である。
【図１１】コネクタハウジングを介してバックワイヤボードに取り付くコネクタの斜め上方からの斜視図である。
【図１２】バックワイヤボードへのコネクタハウジングの接続方法の説明図である。
【図１３】ガイド部材の正面側の斜め上方からの斜視図である。
【図１４】ガイド部材の分解正面図である。
【図１５】バックワイヤボードに取り付くガイド部材の正面図である。
【図１６】通信装置とこれに取り付くコネクタハウジング、外線ケーブルのコネクタの斜め上方からの斜視図である。
【図１７】従来のコネクタハウジングの正面側の斜め上方からの斜視図である。
【図１８】従来のコネクタハウジングの機能を説明する説明図である。
【図１９】従来の他のコネクタハウジングの正面側の斜め上方からの斜視図である。
【発明を実施するための形態】
【００２４】
以下、本発明の実施形態を図面に基づいて詳細に説明する。
【００２５】
図１及び図２は本件開示のコネクタハウジングの一実施形態を示し、図中、３１は図３に示すようにコネクタ接続対象のコネクタピン群３３を囲繞し被覆するように正面視矩形状に形成されたボックス状のハウジング本体で、図１７のハウジング本体１１と同様、その上下両端部３５、３７に弾性係止爪（弾性係止手段）４５が突設されて、本実施形態に係る樹脂製のコネクタハウジング４７が形成されている。そして、図３に示すように弾性係止爪４５は、バックワイヤボード３９の各コネクタピン群３３の上下に設けたロック用金具４１の係止穴４３に係止する。
【００２６】
図１に示すようにハウジング本体３１の正面４９に複数本の補強リブ５１が縦横方向へ突設されているが、図１及び図４に示すように正面４９の右側上部には、コネクタピン群３３の中で、外線ケーブル（図示せず）のコネクタ接続に必要なコネクタピン３３ａのみのピン挿通穴５３が底部５５に形成された正面視矩形状のコネクタ挿入口５７が設けられている。そして、後述するようにコネクタハウジング４７をバックワイヤボード３９に取り付けると、図３及び図４に示すようにコネクタ接続に不要なコネクタピン３３ａが、ハウジング本体３１で被覆されるようになっている。
【００２７】
コネクタ挿入口５７は、図５に示す外線ケーブルのコネクタ５９の外形形状に沿って正面視矩形状に形成されているが、コネクタ５９の一側面６１には、コネクタハウジング４７への取付時に機能するガイド兼位置決め用の突起６３、６５や抜け止め用の突起６７が突設されている。そして、これらに対応して、図１に示すようにコネクタ挿入口５７を形成するハウジング本体３１の側面６９に、前記突起６３、６５が係合してコネクタ５９をガイドするガイド溝７１、７３や、前記突設６７が弾性係止するストッパ溝７５が設けられている。
【００２８】
また、図２中、７７はハウジング本体３１の底部中央に突設された短ピン接続部で、図４及び図６に示すようにコネクタピン群３３の中央には、コネクタハウジング４７の接続の便に供するため、短ピンからなるコネクタピン３３ａが複数立設されており、前記短ピン接続部７７は、これらの短ピンからなるコネクタピン３３ａに対応して設けられたものである。そして、図２及び図４に示すように短ピン接続部７７には、コネクタピン群３３の複数本の短ピンのうち、コネクタ接続に必要とする短ピンに合わせてピン挿通穴５３が設けられており、図１に示すようにコネクタ挿入口５７の底部５５にこれらのピン挿通穴５３が開口している。
【００２９】
一方、図２に示すように前記側面６９と対向するコネクタハウジング４７の側面７９は凹状に形成されて、複数本の補強リブ８１が縦横方向に突設されている。そして、既述したようにコネクタハウジング４７を図４の如くバックワイヤボード３９に取り付けると、コネクタ接続に不要なコネクタピン３３ａは、ハウジング本体３１の底部に開口する図２の凹部８３、８４や凹状に形成された側面７９内等に収納、被覆されるが、凹部８３内にも補強リブ８５が縦横方向に突設されている。尚、凹部８４は前記補強リブ８１によってハウジング本体３１の底部に区画形成されている。
【００３０】
本実施形態に係るコネクタハウジング４７はこのように構成されているから、既に運用中の通信装置に対し、例えば機能追加でバックワイヤボード３９への配線が必要となり、バックワイヤボード３９（コネクタピン群３３）に外線ケーブルのコネクタ５９を取り付ける場合、図３に示すようにコネクタハウジング４７を介してコネクタ５９をバックワイヤボード３９に接続することとなる。
【００３１】
そして、バックワイヤボード３９へのコネクタハウジング４７の取付けは、図６に示すようにコネクタ接続対象のコネクタピン群３３にコネクタハウジング４７の底部側を対向させた後、コネクタハウジング４７をコネクタピン群３３方向へ移動し、ピン挿通穴５３にコネクタピン３３ａを挿通させ乍ら、上下の弾性係止爪４５をロック用金具４１の係止穴４３に係止させれば、コネクタハウジング４７がバックワイヤボード３９に固定され、コネクタ挿入口５７にはコネクタ接続に必要なコネクタピン３３ａのみが突出し、コネクタ接続に不要なコネクタピン３３ａはハウジング本体３１で被覆される。
【００３２】
この後、コネクタハウジング４７のコネクタ挿入口５７に外線ケーブルのコネクタ５９を挿入すればよく、ガイド溝７１、７３に突起６３、６５が係合してコネクタ５９が挿入方向にガイドされ、突設６７がストッパ溝７５に弾性係止してコネクタ５９の抜け止めが図られる。
【００３３】
このように本実施形態は、コネクタ挿入口５７に、コネクタ接続に必要なコネクタピン３３ａのみのピン挿通穴５３を設け、図３及び図４に示すようにコネクタハウジング４７をバックワイヤボード３９に取り付けると、コネクタ接続に不要なコネクタピン３３ａがハウジング本体３１で被覆されるようにしたことを大きな特徴としている。
【００３４】
従って、図１７、図１９のコネクタハウジング９、２７では、コネクタピン群３の総てのコネクタピン３ａに対応して多数のピン挿通穴２１が設けられていたため、総てのコネクタピン３ａをピン挿通穴２１に通さなければならず、ピン曲がりや指先でのショート等により運用中の装置に障害が発生する虞があったが、本実施形態では、コネクタ接続に必要なコネクタピン３３ａのみをピン挿通穴５３に通すだけでよいため、従来に比し取付作業に優れ、ピン曲がりによる装置障害のリスクが解消することとなった。
【００３５】
また、コネクタ接続に不要なコネクタピン３３ａがハウジング本体３１で被覆されるようにしたため、指先でのショートによる装置障害のリスクも大幅に解消することとなった。
【００３６】
図７乃至図１０は本件開示のコネクタハウジングの他の一実施形態を示し、以下、本発明の実施形態を図面に基づいて説明する。尚、前記実施形態と同一のものには同一符号を付してそれらの説明は省略する。
【００３７】
図７及び図８に於て、８７は本実施形態に係るコネクタハウジング８９のハウジング本体で、本実施形態は、上下両端部３５、３７に弾性係止爪４５が突設された図１のハウジング本体３１の構造に代え、上下の弾性係止爪４５を省略し、ハウジング本体８７を、図９及び図１０に示す弾性係止爪４５が突設されたロックカバー９１を用いてバックワイヤボード３９に取付可能としたものである。このため、図７及び図８に示すように、正面視矩形状に形成されたボックス状のハウジング本体８７の上下両端部９３、９５は平滑に形成されており、ハウジング本体８７とロックカバー９１は同一の樹脂材料で形成されている。
【００３８】
図９及び図１０に示すようにロックカバー９１は、ハウジング本体８７の正面４９側に当接する薄肉な正面板９７と、ハウジング本体８７の側方の補強リブ８１に当接する薄肉な側面板９９とで断面略Ｌ字状に形成され、その上下両端部に弾性係止爪４５が側面板９９に沿って突設されている。そして、図１１に示すようにハウジング本体８７の正面４９と側方の補強リブ８１にロックカバー９１を当接させると、弾性係止爪４５の基部側に設けた段部１０１の内面がハウジング本体８７の上下両端部９３、９５に当接して、上下両端部９３、９５と弾性係止爪４５との間に僅かな隙間が形成されるようになっている。
【００３９】
また、ロックカバー９１の正面板９７の上下の中央には、舌片状の把手１０３が側面板９９と面一に突設されており、この把手１０１を指先で摘んでロックカバー９１を操作できるようになっている。更に、把手１０１と反対側の正面板９７の他端側には、ハウジング本体８７のコネクタ挿入口５７の縁部に沿って切欠き１０５が設けられており、上述したようにハウジング本体８７の正面４９と側方の補強リブ８１にロックカバー９１を当接させたとき、正面板９７によってコネクタ挿入口５７が塞がれることがないようになっている。
【００４０】
このように本実施形態に係るコネクタハウジング８９は、ハウジング本体８７とこれをバックワイヤボード３９に固定するロックカバー９１とで構成され、ハウジング本体８７の正面４９に形成されたコネクタ挿入口５７には、前記実施形態と同様、コネクタ接続に必要なコネクタピン３３ａのみのピン挿通穴５３が設けられている。
【００４１】
そして、前記コネクタハウジング８９は、本件開示の一実施形態に係るコネクタの接続方法に於て、以下の如く使用される。
【００４２】
運用中の通信装置に対し、バックワイヤボード３９（コネクタピン群３３）に外線ケーブルのコネクタ５９を取り付けるに当たり、図１２に示すように、先ず、ハウジング本体８７をバックワイヤボード３９に仮止めし、次いで、これにロックカバー９１を被せてハウジング本体８７をバックワイヤボードに固定するが、本実施形態は、ハウジング本体８７の取付作業性を更に良好且つ正確に行うため、図１３乃至図１５に示す樹脂製のガイド部材１０７を使用する。
【００４３】
尚、ガイド部材１０７の使用の前提として、本実施形態では、図１５に示すようにコネクタ接続対象のコネクタピン群３３はバックワイヤボード３９のスロット９で、これに隣接するスロット６〜８、１２の上下段のコネクタピン群３３には図１７の既存のコネクタハウジング９が予め工場出荷段階で取り付けられ、スロット１０、１１の上下段のコネクタピン群３３は周知の正面視矩形状の透明パネル１０９で予め覆われている。
【００４４】
図１４に示すようにガイド部材１０７は、上側ガイド板１１１と下側ガイド板１１３の二分割構造である。図１３及び図１４に示すように上側ガイド板１１１は、正面側にスリット１１５が形成された一枚の板材１１７と、当該スリット１１５に挿着された板材１１９と、両板材１１７、１１９の連結部分に配置され、後輪側中央に設けたスリット１２１を介して板材１１７に取り付くブロック状の台座１２３と、板材１１９を挟んで板材１１７の左右に取り付く細長い４本の棒状の係止部材１２５とからなり、係止部材１２５は板材１１７の前後方向に亘って板材１１７の表裏に取り付けられている。
【００４５】
係止部材１２５は上側ガイド板１１１をバックワイヤボード３９に固定させるものである。即ち、図１５に示すようにコネクタハウジング９や透明パネル１０９は、上下に突設された弾性係止爪１７、１２７がロック用金具４１の係止穴４３に係止してバックワイヤボード３９（各スロット６〜１２）に取り付いているが、通常、弾性係止爪１７、１２７の左右には隙間１２９がある。そこで、本実施形態は、前記係止部材１２５をスロット８、１２の上下段に取り付くコネクタハウジング９の隙間１２９に挿入して、上側ガイド板１１１をバックワイヤボード３９に固定させている。
【００４６】
また、図１３に示すように板材１１７の後端側には、平面視コ字状の切欠き１３１が設けられており、上述の如く係止部材１２５を隙間１２９に挿入して上側ガイド板１１１をバックワイヤボード３９に固定したとき、板材１１７の後端側が、コネクタ接続対象のスロット９に接近するように構成されている。
【００４７】
一方、図１３及び図１４に示すように下側ガイド板１１３は、前記台座１２３に対応して断面略Ｌ字状の台座１３３が表面に取り付く板材１３５と、当該板材１３５の左右にスリット１３７を介して取り付く２枚の板材１３９、１４１と、前記係止部材１２５に対応して板材１３５の表面に取り付く棒状の係止部材１４３とからなり、図１５に示すように係止部材１４３がスロット８、１２の下段のコネクタハウジング９の下側の隙間１２９に挿入されて、下側ガイド板１１３がバックワイヤボード３９に固定される。
【００４８】
また、両板材１３９、１４１の上方には、前記板材１１７に係合するスリット１４５が設けられており、これらのスリット１４５に板材１１７を係合して上側ガイド板１１１と下側ガイド板１１３が連結されるようになっている。
【００４９】
ガイド部材１０７はこのように構成されているから、コネクタハウジング８９をスロット９の上下段に取り付けるに当たり、先ず、図１５に示すように上側ガイド板１１１の係止部材１２５を、スロット８、１２に取り付く上下段のコネクタハウジング８９の隙間１２９に挿入して、上側ガイド板１１１をバックワイヤボード３９に固定する。
【００５０】
次いで、下側ガイド板１１３の係止部材１４３を、スロット８、１２の下段のコネクタハウジング９の下側の隙間１２９に挿入し乍ら、スリット１４５に板材１１７を係合して上側ガイド板１１１と下側ガイド板１１３を連結すれば、ガイド部材１０７がスロット９に固定される。これにより、ガイド部材１０７の台座１２３、１３３が、夫々、スロット９の上下段に対向する。
【００５１】
この後、コネクタピン群３３に対向させて台座１３３上にハウジング本体８７を置き、指先で正面４９を押し乍らハウジング本体８７をコネクタピン群３３方向にスライドさせ、ピン挿通穴５３にコネクタピン３３ａを挿通させてハウジング本体８７をバックワイヤボード３９に仮止めする。これにより、コネクタ挿入口５７にはコネクタ接続に必要なコネクタピン３３ａのみが突出し、コネクタ接続に不要なコネクタピン３３ａは、前記凹部８３、８４及びロックカバー９１で被覆された側面７９内に収納されてハウジング本体８７で被覆される。
【００５２】
同様に、コネクタピン群３３に対向させて台座１２３上にハウジング本体８７を置き、指先で正面４９を押し乍らハウジング本体８７をコネクタピン群３３方向にスライドさせ、ピン挿通穴５３にコネクタピン３３ａを挿通させてハウジング本体８７をバックワイヤボード３９に仮止めする。これにより、コネクタ挿入口５７にはコネクタ接続に必要なコネクタピン３３ａのみが突出し、コネクタ接続に不要なコネクタピン３３ａは、前記凹部８３、８４及びロックカバー９１で被覆された側面７９内に収納されてハウジング本体８７で被覆される。
【００５３】
そして、ガイド部材１０７をバックワイヤボード３９から取り外し、図１１に示すように上下のハウジング本体８７の正面４９と側方の補強リブ８１に夫々ロックカバー９１を当接させ乍ら、弾性係止爪４５をロック用金具４１の係止穴４３に係止すれば、ロックカバー９１を介してハウジング本体８７がスロット９の上下段に固定される。
【００５４】
この後、コネクタハウジング８９のコネクタ挿入口５７に外線ケーブルのコネクタ５９を挿入すればよく、ガイド溝７１、７３に突起６３、６５が係合してコネクタ５９が挿入方向にガイドされ、突設６７がストッパ溝７５に弾性係止してコネクタ５９の抜け止めが図られる。
【００５５】
このように本実施形態に係るコネクタハウジング８９は、ハウジング本体８７とこれをバックワイヤボード３９に固定するロックカバー９１を別体構造とするとともに、ハウジング本体８７に設けたコネクタ挿入口５７に、コネクタ接続に必要なコネクタピン３３ａのみのピン挿通穴５３を設け、コネクタハウジング８９をバックワイヤボード３９に取り付けると、コネクタ接続に不要なコネクタピン３３ａがハウジング本体８７で被覆されるようにしたことを特徴としている。
【００５６】
従って、図１のコネクタハウジング４７と同様、本実施形態に係るコネクタハウジング８９によっても、コネクタ接続に必要なコネクタピン３３ａのみをピン挿通穴５３に通すだけでよいため、従来に比し取付作業に優れる利点を有する。
【００５７】
また、本実施形態は、ハウジング本体８７をバックワイヤボード３９に仮止めした後、ロックカバー９１の弾性係止爪４５をロック用金具４１の係止穴４３に係止して、ハウジング本体８７をバックワイヤボード３９に固定するように構成したため、ピン挿通穴５３へのコネクタピン３３ａの挿通と、係止穴４３への弾性係止爪４５の係止の作業を分けて行うことができ、この結果、図１のコネクタハウジング４７に比し更に取付作業性及び安全性が向上するとともに、ピン曲がりによる装置障害のリスクをより確実に解消することができる。
【００５８】
そして、ロックカバー９１の取付時には、コネクタ接続に不要なコネクタピン３３ａがハウジング本体８７で被覆されているため、指先でのショートによる装置障害のリスクも大幅に解消する。
【００５９】
また、ガイド部材１０７を用いた接続方法によれば、ピン挿通穴５３へのコネクタピン３３ａの挿通に当たり、ピンずれの虞がなくなるため、取付作業性及び安全性が飛躍的に向上するとともに、ピン曲がりによる装置障害のリスクを確実に解消できる利点を有する。
【００６０】
尚、ガイド部材１０７の構造は前記実施形態に限定されず、バックワイヤボードに取り付くコネクタハウジングや透明パネルの配置に応じて適宜変更可能である。
【符号の説明】
【００６１】
３１、８７  ハウジング本体
３３  コネクタピン群
３３ａ  コネクタピン
３９  バックワイヤボード
４１  ロック用金具
４３  係止穴
４５  弾性係止爪
４７、８９  コネクタハウジング
５３  ピン挿通穴
５５  底部
５７  コネクタ挿入口
５９  外線ケーブルのコネクタ
６３、６５  ガイド兼位置決め用の突起
６７  抜け止め用の突起
７１、７３  ガイド溝
７５  ストッパ溝
７７  短ピン接続部
９１  ロックカバー
９７  正面板
９９  側面板
１０３  把手
１０５  切欠き
１０７  ガイド部材
１０９  透明パネル
１１１  上側ガイド板
１１３  下側ガイド板
１２３、１３３  台座
１２５、１４３  係止部材
【図１】
0005524135.tif 000002
【図２】
0005524135.tif 000003
【図３】
0005524135.tif 000004
【図４】
0005524135.tif 000005
【図５】
0005524135.tif 000006
【図６】
0005524135.tif 000007
【図７】
0005524135.tif 000008
【図８】
0005524135.tif 000009
【図９】
0005524135.tif 000010
【図１０】
0005524135.tif 000011
【図１１】
0005524135.tif 000012
【図１２】
0005524135.tif 000013
【図１３】
0005524135.tif 000014
【図１４】
0005524135.tif 000015
【図１５】
0005524135.tif 000016
【図１６】
0005524135.tif 000017
【図１７】
0005524135.tif 000018
【図１８】
0005524135.tif 000019
【図１９】
0005524135.tif 000020